(57)【要約】【課題】  排稈切断装置に過大な駆動負荷がかかると、ベルト駆動手段がスリップし、穀粒搬送や揺動選別に支障をきたす問題を解消し、排稈切断装置の駆動負荷の変動に起因する穀粒搬送や揺動選別への悪影響を低減する。【解決手段】  本発明は、脱穀装置（９）に動力を伝達する入力軸（３０）から１番穀粒搬送装置（３１）、２番穀粒搬送装置（３２）及び揺動選別棚（１７）を駆動するベルト駆動手段（３３）と、入力軸（３０）から唐箕（１８）を駆動するベルト駆動手段（３４）と、入力軸（３０）から脱穀済み排稈を切断処理する排稈切断装置（２６）を駆動するベルト駆動手段（３５）をそれぞれ設ける。【選択図】      図５
2016067216.tif 000002
【特許請求の範囲】
【請求項１】
脱穀装置（９）に動力を伝達する入力軸（３０）から１番穀粒搬送装置（３１）、２番穀粒搬送装置（３２）及び揺動選別棚（１７）を駆動するベルト駆動手段（３３）と、入力軸（３０）から唐箕（１８）を駆動するベルト駆動手段（３４）と、入力軸（３０）から脱穀済み排稈を切断処理する排稈切断装置（２６）を駆動するベルト駆動手段（３５）をそれぞれ設けてあることを特徴とするコンバイン。
【請求項２】
前記排稈切断装置（２６）へ伝動するベルト駆動手段（３５）は、他のベルト駆動手段（３３，３４）よりも機体の外側に配置してある請求項１記載のコンバイン。
【請求項３】
前記排稈切断装置（２６）へのベルト駆動手段（３５）に張力を付与するテンションアーム（３７）の支点軸（３８）は、揺動選別棚（１７）を摺動案内するガイドレール（３９）の位置に対応する脱穀装置（９）の側板に軸支してある請求項１又は請求項２記載のコンバイン。
【発明の詳細な説明】
【技術分野】
【０００１】
この発明は、コンバインに関する。
【背景技術】
【０００２】
従来、コンバインにおいて、脱穀装置の後部には、脱穀処理に伴って排稈口から後方に排出される排稈や揺動選別棚から後方に排出されるワラ屑などの排塵処理物を受け入れて切断処理する排稈切断装置が配備されている（例えば、特許文献１参照）。
【０００３】
そして、この様な形態の排稈切断装置へのベルト駆動手段としては、１番穀粒搬送装置、２番穀粒搬送装置及び揺動選別棚を駆動するベルト駆動手段の駆動経路途中から取り出すようになっていた(図６参照)。
【先行技術文献】
【特許文献】
【０００４】
【特許文献１】特開２０１２−６０９６８号公報
【発明の概要】
【発明が解決しようとする課題】
【０００５】
ところが、排稈切断装置に過大の駆動負荷がかかると、ベルト駆動手段がスリップし、穀粒搬送や揺動選別に支障をきたす問題があった。
本発明の課題は、排稈切断装置の駆動負荷の変動に起因する穀粒搬送や揺動選別への悪影響を低減することで、上記問題点を解消しようとするものである。
【課題を解決するための手段】
【０００６】
この発明は、上記課題を解決すべく次のような技術的手段を講じた。
すなわち、請求項１記載の発明は、脱穀装置（９）に動力を伝達する入力軸（３０）から１番穀粒搬送装置（３１）、２番穀粒搬送装置（３２）及び揺動選別棚（１７）を駆動するベルト駆動手段（３３）と、入力軸（３０）から唐箕（１８）を駆動するベルト駆動手段（３４）と、入力軸（３０）から脱穀済み排稈を切断処理する排稈切断装置（２６）を駆動するベルト駆動手段（３５）をそれぞれ設けてあることを特徴とするコンバインとする。
【０００７】
請求項２記載の発明は、前記排稈切断装置（２６）へ伝動するベルト駆動手段（３５）は、他のベルト駆動手段（３３，３４）よりも機体の外側に配置してある請求項１記載のコンバインとする。
【０００８】
請求項３記載の発明は、前記排稈切断装置（２６）へのベルト駆動手段（３５）に張力を付与するテンションアーム（３７）の支点軸（３８）は、揺動選別棚（１７）を摺動案内するガイドレール（３９）の位置に対応する脱穀装置（９）の側面に軸支してある請求項１又は請求項２記載のコンバインとする。
【発明の効果】
【０００９】
請求項１記載の発明によれば、入力軸（３０）から１番穀粒搬送装置（３１）、２番穀粒搬送装置（３２）及び揺動選別棚（１７）を駆動するベルト駆動手段（３３）と、入力軸（３０）から唐箕（１８）を駆動するベルト駆動手段（３４）と、入力軸（３０）から脱穀済み排稈を切断処理する排稈切断装置（２６）を駆動するベルト駆動手段（３５）をそれぞれ設けてあるので、各ベルト駆動手段（３３，３４，３５）の駆動負荷を小さくすることができ、駆動負荷の変動によるスリップや磨耗を低減することができる。また、排稈切断装置（２６）の駆動負荷が増大し、ベルト駆動手段（３５）がスリップした際に、１番穀粒搬送装置（３１）、２番穀粒搬送装置（３２）及び揺動選別棚（１７）の駆動速度が変化し難くなり、揺動選別棚（１７）の選別効率や１番穀粒搬送装置（３１）及び２番穀粒搬送装置（３２）による穀粒搬送効率を高く保つことができる。
【００１０】
請求項２記載の発明によれば、請求項１記載の発明による効果に加えて、排稈切断装置（２６）へ伝動するベルト駆動手段（３５）を、他のベルト駆動手段（３３，３４）よりも機体の外側に配置することで、排稈切断装置（２６）へ伝動するベルト駆動手段（３５）のベルト交換や排稈切断装置（２６）の脱穀装置（９）からの着脱が容易く行える。
【００１１】
請求項３記載の発明によれば、請求項１又は請求項２記載の発明による効果に加えて、テンションアーム（３７）の支点軸（３８）を、揺動選別棚（１７）を摺動案内するガイドレール（３９）の位置に対応する脱穀装置（９）の側板に軸支しているので、側板全体の剛性を高めるために脱穀装置（９）の重量を増大させることなく、テンションアーム（３７）を強固に支持することができ、これによって、排稈切断装置（２６）へ伝動するベルト駆動手段（３５）における伝動効率を高めて、排稈切断装置（２６）の処理効率を高めることができる。
【図面の簡単な説明】
【００１２】
【図１】汎用コンバインの側面図
【図２】汎用コンバインの平面図
【図３】脱穀装置の要部の側面図
【図４】排稈切断装置を備えた脱穀部の要部の側断面図
【図５】コンバイン各部の動力伝達経路図。
【図６】従来の動力伝達経路を示す参考図。
【図７】ルーズプーリとスプレッダカウンタプーリの支持構成を示す平面図
【図８】刈取前処理部の要部側面図
【図９】同上要部の平面図
【発明を実施するための形態】
【００１３】
この発明の実施例を図面に基づき説明する。
図１及び図２は、圃場に立毛する稲麦や菜種等の作物茎稈を自走しながら刈り取って収穫する汎用コンバインを示すものであり、下部に左右一対の走行クローラ２，２を備えた車体１の前側には、作物茎稈を後方に掻き込む掻込タイン３を備えた掻込リール４と、掻込後の茎稈を切断するバリカン式の刈刃装置５と刈取後の茎稈をテーブル６上に掻き込む掻込オーガ７等からなる刈取前処理部８を備えている。
【００１４】
刈取前処理部８の左側から後方にわたって装備されたフィーダハウス１０内には、刈取前処理部からの作物茎稈を受け継いで後方上方に揚上搬送して脱穀装置（脱穀部）９内に供給するフィードコンベアが装備されている。フィーダハウス１０の右側には、運転席１１や操作ボックス１２等からなる運転操作部を取り囲むように覆うキャビン１３が装備され(図２参照)、キャビン１３の後方には収穫物を一時的に貯留するグレンタンクＧが設置されている。
【００１５】
脱穀装置９は、上部に刈取前処理部からの刈取穀稈を受け入れて脱穀処理する脱穀部９Ａを備え、下部に脱穀処理後の処理物を受け入れて選別処理する選別部（選別装置）９Ｂを備えている。
【００１６】
上部の脱穀部９Ａは、扱室１４内に架設する前後向きの扱胴１５や扱胴の下方を受ける受網１６などからなる。
下部の選別部９Ｂは、脱穀処理物を受け入れて揺動篩い選別する揺動選別棚１７や風選別が可能な唐箕１８などからなる。
【００１７】
脱穀装置９の後部には、扱室１４終端の排稈口１９から排出される脱穀処理後の排稈類や、揺動選別棚１７終端の排塵口２０から排出されるワラ屑類を切断室２１内に受け入れて切断処理する複数の固定受刃２３と、左右横方向の回転軸２４芯周りに回転する回転刃２５とからなる排稈切断装置（スプレッダ）２６が配備されている。
【００１８】
排稈切断装置２６への回転動力伝達手段としては、脱穀装置の前側には脱穀装置の各部に動力を伝達する脱穀カウンタ軸（入力軸）３０が架設されている。そして、脱穀カウンタ軸３０から１番穀粒搬送装置３１の駆動プーリ３１ｐ、２番穀粒搬送装置３２の駆動プーリ３２ｐ及び揺動選別棚１７の駆動プーリ１７ｐとに掛け渡して駆動するベルト駆動手段（選別駆動ベルト）３３と、前記脱穀カウンタ軸３０から唐箕１８の駆動プーリ１８ｐを駆動するベルト駆動手段(唐箕駆動ベルト)３４と、同じく脱穀カウンタ軸３０から脱穀済み排稈を切断処理するスプレッダ２６の駆動プーリ２６ｐを駆動するベルト駆動手段（スプレッダ駆動ベルト）３５がそれぞれ設けられ、スプレッダ駆動ベルト３５には中間カウンタプーリ３６Ａ，３６Ｂが軸装されている。なお、図７に示すように、選別駆動ベルト３３ライン上のルーズプーリ４０と同軸にスプレッダ駆動の中間カウンタプーリ３６Ａ，３６Ｂを設けておくと、スプレッダのために新たにプーリ軸を設けなくても良い。なお、ルーズプーリ４０は、揺動選別棚１７に伝動するプーリ５０への選別駆動ベルト３３の巻掛け長さを長くするために、このプーリ５０の上方においてプーリ軸５１に軸支して設けられたものである。また、ルーズプーリ４０と中間カウンタプーリ３６Ａ，３６Ｂは、互いに相対回転可能な状態でプーリ軸５１に軸支している。
【００１９】
前記スプレッダ駆動ベルト３５は、選別駆動ベルト３３や唐箕駆動ベルト３４よりも最外側に配置して、負荷が大きくて頻度の高いスプレッダ駆動ベルト３５交換等が容易く行えるようにしている。
【００２０】
また、前記スプレッダ２６への駆動ベルト３５に張力を与えてテンションするテンションアーム３７の支点軸３８は、揺動選別棚１７を摺動案内するガイドレール３８の対応側面に軸支すべく構成している。これによると、板厚の薄い脱穀側板にあっても、テンションアームの支持構成を十分に確保することができる。
【００２１】
図８及び図９には、刈取前処理部８の一部を示している。稲麦用分草杆４２の先端Ａ１（Ａ２は従来の分草杆先端位置）を刈取部テーブル６の底が接地した状態で側面視で刈刃５上面より高い位置に配置する構成とすることで、なびいた穀稈を分草杆が掬いきれなかった場合にも穀稈を抵抗無く掻込リールで掻き込むことができる。
【００２２】
また、図例のように、分草杆先端を側面視で「つ」の字型の丸形状とすることで、分草杆上面の傾斜が緩くなり、分草性能を向上させることができる。
【符号の説明】
【００２３】
９    脱穀部（脱穀装置）
１７    揺動選別棚
１８    唐箕
２６    スプレッダ（排稈切断装置）
３０    脱穀カウンタ軸（入力軸）
３１    １番穀粒搬送装置
３２    ２番穀粒搬送装置
３３    選別駆動ベルト（ベルト駆動手段）
３４    唐箕駆動ベルト（ベルト駆動手段）
３５    スプレッダ駆動ベルト（ベルト駆動手段）
３７    テンションアーム
３８    テンション支点軸
３９    ガイドレール
【図１】
2016067216.tif 000003
【図２】
2016067216.tif 000004
【図３】
2016067216.tif 000005
【図４】
2016067216.tif 000006
【図５】
2016067216.tif 000007
【図６】
2016067216.tif 000008
【図７】
2016067216.tif 000009
【図８】
2016067216.tif 000010
【図９】
2016067216.tif 000011